(57)【要約】【課題】双方向リモコン装置における操作キー押下時の処理内容を電子機器から受信する信号に応じて変更することのできる電子システムを提供すること。【解決手段】液晶テレビジョン受像機Ｘ（電子機器）は，予め設定された所定の異常が発生した場合に，異常発生信号を（操作キー設定情報）を双方向リモコンＹに送信する（Ｓ１１のＹｅｓ側，Ｓ１２）。一方，双方向リモコンＹは，液晶テレビジョン受像機Ｘから受信した異常発生信号に応じて操作キーの押下時の処理内容を変更する（Ｓ１のＹｅｓ側，Ｓ４）。具体的には，電源キーの操作を無効とすることが考えられる。【選択図】図３
2010245720.tif 000002
【特許請求の範囲】
【請求項１】
電子機器及び該電子機器との間で双方向無線通信を行うことにより前記電子機器の遠隔操作を行う双方向リモコン装置を備えてなる電子システムであって，
前記電子機器が，前記双方向リモコン装置に設けられた操作キーの押下時の処理内容の設定に関する操作キー設定情報を該双方向リモコン装置に送信する操作キー設定情報送信手段を備えてなり，
前記双方向リモコン装置が，前記操作キー設定情報送信手段から送信された前記操作キー設定情報に応じて前記操作キーの押下時の処理内容を設定する操作キー処理内容設定手段を備えてなることを特徴とする電子システム。
【請求項２】
前記操作キー設定情報送信手段が，前記電子機器において予め定められた所定の異常が発生した場合に該異常が発生した旨を示す異常発生信号を送信するものであって，
前記操作キー処理内容設定手段が，前記異常発生信号の受信に応じて，前記電子機器の電源を投入するための電源キーの押下時の処理内容を，該電子機器の電源の投入を伴わない暫定処理に設定するものである請求項１に記載の電子システム。
【請求項３】
前記所定の異常が，前記電子機器における電源回路の異常である請求項２に記載の電子システム。
【請求項４】
前記暫定処理が，前記電子機器に対して何ら信号を送信しないものである請求項３に記載の電子システム。
【請求項５】
前記異常発生信号に，前記電子機器における異常の内容に関する異常内容情報及び／又は前記電子機器における動作履歴に関する動作履歴情報が含まれてなり，
前記双方向リモコン装置が，前記異常内容情報及び／又は前記動作履歴情報を前記双方向リモコン装置に設けられた表示部に表示する情報表示手段を備えてなる請求項２〜４のいずれかに記載の電子システム。
【発明の詳細な説明】
【技術分野】
【０００１】
本発明は，電子機器及び該電子機器との間で双方向無線通信を行うことにより該電子機器の遠隔操作を行う双方向リモコン装置を有する電子システムに関し，特に，前記双方向リモコン装置による前記電子機器の操作内容を制御するための技術に関するものである。
【背景技術】
【０００２】
近年，液晶テレビジョン受像機やＡＶ機器，その他の家電製品などの電子機器との間で双方向無線通信を行う双方向リモコン装置（以下「双方向リモコン」という）が知られている。
このような双方向リモコンを用いれば，電子機器の遠隔操作だけでなく該電子機器の状態を双方向リモコン側で認識することが可能となる。例えば，特許文献１には，電子機器から受信した情報をリモコン側で表示することが開示されている。
また，特許文献２には，テレビジョン受像機から送信される状態データ信号によって該テレビジョン受像機において現在有効な操作キーを判別し，その有効な操作キーのみを点灯させる双方向リモコン装置が開示されている。但し，当該双方向リモコン装置は，テレビジョン受像機で有効な操作に対応する操作キーのみを点灯させているに過ぎず，双方向リモコン装置側の操作キーの押下時の処理内容を変更するものではない。
【先行技術文献】
【特許文献】
【０００３】
【特許文献１】特開昭６４−５６０００号公報
【特許文献２】特開平１１−３１７９８６号公報
【発明の概要】
【発明が解決しようとする課題】
【０００４】
ところで，一般に電子機器において電源回路の異常などの致命的な異常が発生した場合には，該電子機器は自動的に電源切り状態に移行する。このとき，次に電子機器の電源が入れられると，該電子機器が一時的に作動して所定の初期化処理などを実行し，再度自動的に電源切り状態に移行することになる。そのため，何度も電源が入れられるとその都度行われる一時的な動作によって電子機器の異常が悪化するおそれがある。
しかしながら，従来の双方向リモコンでは，前記電子機器における異常の発生の有無に拘わらず，該電子機器の電源投入操作を行うことが可能である。そのため，前記電子機器で異常が発生している状況において，ユーザによる電源投入操作を阻止することはできず，該電子機器の異常の悪化を防止することができなかった。
従って，本発明は上記事情に鑑みてなされたものであり，その目的とするところは，双方向リモコン装置における操作キー押下時の処理内容を電子機器から受信する信号に応じて変更することのできる電子システムを提供することにある。
【課題を解決するための手段】
【０００５】
上記目的を達成するために本発明は，電子機器及び該電子機器との間で双方向無線通信を行うことにより前記電子機器の遠隔操作を行う双方向リモコン装置を備えてなる電子システムに適用されるものであって，前記電子機器が，前記双方向リモコン装置に設けられた操作キーの押下時の処理内容の設定に関する操作キー設定情報を該双方向リモコン装置に送信する操作キー設定情報送信手段を備えてなり，前記双方向リモコン装置が，前記操作キー設定情報送信手段から送信された前記操作キー設定情報に応じて前記操作キーの押下時の処理内容を設定する操作キー処理内容設定手段を備えてなることを特徴とする電子システムとして構成される。
本発明によれば，前記双方向リモコン装置における前記操作キーの押下時の処理内容を，前記電子機器から送信される前記操作キー設定情報によって設定変更することが可能となる。これにより，例えば前記双方向リモコン装置における前記操作キー押下時の送信信号を，前記電子機器から送信されるリモコンコード信号に応じて該電子機器のメーカー等に対応する信号に変更させ，該双方向リモコン装置におけるリモコンコードの設定などの手間を省略することが可能である。
【０００６】
また，前記操作キー設定情報送信手段が，前記電子機器において予め定められた所定の異常が発生した場合に該異常が発生した旨を示す異常発生信号を送信するものであって，前記操作キー処理内容設定手段が，前記異常発生信号の受信に応じて，前記電子機器の電源を投入するための電源キーの押下時の処理内容を，該電子機器の電源の投入を伴わない暫定処理に設定するものであることが考えられる。具体的に，前記所定の異常は，前記電子機器における電源回路の異常であることが考えられる。また，前記暫定処理は，前記電子機器に対して何ら信号を送信しないものであることが考えられる。
このような構成によれば，例えば前記電子機器で前記電源回路の異常などの所定の異常が発生した場合に，ユーザにより前記電源キーが押下されても該電源キーの本来の機能である前記電子機器の電源の投入という動作が行われないように前記双方向リモコン装置における処理内容を変更することが可能となり，該電子機器の異常状態の悪化などを防止することができる。
また，前記異常発生信号に，前記電子機器における異常の内容に関する異常内容情報や，前記電子機器における動作履歴に関する動作履歴情報が含まれてなり，前記双方向リモコン装置が，前記異常内容情報や前記動作履歴情報を前記双方向リモコン装置に設けられた表示部に表示する情報表示手段を備えてなることが考えられる。これにより，ユーザは前記電子機器で発生した異常の内容を把握することや，異常の発生原因の究明などを早急に行うことができる。
【発明の効果】
【０００７】
本発明によれば，前記双方向リモコン装置における前記操作キーの押下時の処理内容を，前記電子機器から送信される前記操作キー設定情報によって設定・変更することが可能となる。これにより，例えば前記双方向リモコン装置における前記操作キー押下時の送信信号を，前記電子機器から送信されるリモコンコード信号に応じて該電子機器のメーカー等に対応する信号に変更させ，該双方向リモコン装置におけるリモコンコードの設定などの手間を省略することが可能である。
また，前記電子機器で前記電源回路の異常などの所定の異常が発生した場合に，ユーザにより前記電源キーが押下されても該電源キーの本来の機能である前記電子機器の電源の投入という動作が行われないように前記双方向リモコン装置における処理内容を変更することも可能となり，該電子機器の異常状態の悪化などを防止することができる。
【図面の簡単な説明】
【０００８】
【図１】本発明の実施の形態に係るテレビジョンシステムＺの概略構成を説明するための図。
【図２】本発明の実施の形態に係る双方向リモコン装置Ｙの概略構成を説明するための図。
【図３】本発明の実施の形態に係る双方向リモコン装置Ｙ及び液晶テレビジョン受像機Ｘによって実行される異常時対応処理の手順の一例を説明するためのフローチャート。
【図４】異常時対応処理の実行時における双方向リモコン装置Ｙにおける表示例を説明するための図。
【図５】本発明の実施例に係る双方向リモコン装置Ｙ及び液晶テレビジョン受像機Ｘによって実行されるリモコンコード設定処理の手順の一例を説明するためのフローチャート。
【発明を実施するための形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
本実施の形態では，本発明に係る電子システムの一例としてテレビジョンシステムＺを例に挙げて説明するが，本発明は，ＤＶＤプレーヤー，オーディオ機器等の各種ＡＶシステムや，その他の家電製品などの電子システムにも適用可能である。
図１に示すように，前記テレビジョンシステムＺは，本発明に係る電子機器の一例である液晶テレビジョン受像機Ｘ及び該液晶テレビジョン受像機Ｘとの間で双方向無線通信を行うことにより前記液晶テレビジョン受像機Ｘの遠隔操作を行う双方向リモコン装置Ｙ（以下「双方向リモコンＹ」という）を備えて構成されている。
【００１０】
まず，図１に示すブロック図を参照しつつ，前記液晶テレビジョン受像機Ｘの構成について説明する。。
図１に示すように，液晶テレビジョン受像機Ｘは，ディジタルチューナ１，復調回路２，デマルチプレクサ３，映像デコーダー回路４，映像入力選択回路５，映像処理回路６，外部入力部７，テレビ側制御回路８，無線モジュール９，音声デコーダー回路１０，音声入力選択回路１１，音声処理回路１２，アンプ１３，及びスピーカ１４，液晶表示パネル１６，電源回路１７，サブマイコン１８，明るさセンサ１９，光源駆動回路２０，バックライト用の光源２１等を具備している。
前記ディジタルチューナ１は，前記テレビ側制御回路８により選択を指示された放送番組の信号が含まれる搬送波周波数成分を選択して後段の復調回路２に伝送する。
前記復調回路２は，前記ディジタルチューナ１から伝送されてきた搬送波周波数成分からトランスポートストリーム（Transport Stream）信号を復調する。
【００１１】
前記デマルチプレクサ３は，前記ディジタルチューナ１及び前記復調回路２により抽出されたトランスポートストリーム信号から，視聴する放送番組に対応した映像信号及び音声信号，並びに付加データ等を分離して抽出するものである。更に，前記デマルチプレクサ３は，前記テレビ側制御回路８から受けたＰＩＤ（Packet IDentification)に応じて，視聴対象となる放送番組の映像信号及び音声信号を抽出し，各信号を前記映像デコーダー回路４及び前記音声デコーダー回路１０それぞれに伝送する。
前記映像デコーダー回路４は，前記デマルチプレクサ３から受けた映像信号を復号し，復号した映像信号を前記映像入力選択回路５に伝送する。同様に，前記音声デコーダー回路１０は，前記デマルチプレクサ３から受けた音声信号を復号し，復号した音声信号を前記音声入力選択回路１１に伝送する。
【００１２】
前記音声入力選択回路１１は，前記テレビ側制御回路８からの制御指令に従って，前記ディジタルチューナ１により選局されたチャンネルの音声信号（前記音声デコーダー回路１０を通じて入力される音声信号）と，前記外部入力部７を通じて入力される音声信号のいずれかを選択して前記音声処理回路１２へ伝送する回路である。
前記音声処理回路１２は，前記テレビ側制御回路８からの指示に従って，前記音声入力選択回路１１により選択された音声信号に対して各種信号処理を行うものである。例えば，前記スピーカ１４の特性に合わせたイコライズ処理や，サラウンド処理等を行う。前記アンプ１３は，前記音声処理回路１２による処理後の音声信号を，前記テレビ側制御回路８からの指示に従って増幅或いは減衰させる処理を行い，前記スピーカ１４に出力するものである。
【００１３】
前記外部入力部７は，外部機器から映像信号及び音声信号を入力する信号入力インターフェースである。この外部入力部７を通じて入力された映像信号は前記映像入力選択回路５へ伝送され，同音声信号は前記音声入力選択回路１１へ伝送される。
前記映像入力選択回路５は，前記テレビ側制御回路８からの制御指令に従って，前記ディジタルチューナ１により選局されたチャンネルの映像信号（前記映像デコーダー回路４を通じて入力される映像信号）と，前記外部入力部７を通じて入力される映像信号のいずれかを選択して前記映像処理回路６へ伝送する回路である。即ち，前記映像入力選択回路５は，前記液晶表示パネル１６に表示させる映像に対応する映像信号の入力先を選択する（切り替える）回路である。
【００１４】
前記映像処理回路６は，前記映像入力選択回路５により選択された映像信号に対して各種信号処理を行うものである。具体的に，前記映像処理回路６は，前記液晶表示パネル１６に表示させる映像のアスペクト比，サイズ及び位置を，前記テレビ側制御回路８からの指示に基づいて設定する表示形態設定機能を備えている。
前記液晶表示パネル１６は，前記映像処理回路６から出力される映像信号に基づく映像（放送番組の映像）を表示するものである。このとき前記液晶表示パネル１６には，前記映像処理回路６の表示条件設定機能によって予め設定されたアスペクト比，サイズ及び位置で映像が表示される。なお，本発明は，ブラウン管方式やプラズマ方式等の他の映像表示部を備える映像表示装置（電子機器）への適用も可能である。
【００１５】
前記液晶表示パネル１６の背面には，その液晶表示パネル１６を背面から照明するバックライト用の光源２１が設けられている。前記光源２１は，例えば蛍光ランプやＬＥＤなどである。
また，前記光源駆動回路２０は，インバータ回路などの電源回路を備えており，前記テレビ側制御回路８から出力される制御指令に従って，前記光源２１に対する供給電力を調節することにより，前記光源２１の点灯及び消灯や明るさ調節などを制御する。例えば，前記明るさセンサ１９は，前記液晶表示パネル１６の前面側の明るさを検知するセンサであって，前記テレビ側制御回路８は，前記明るさセンサ１９による検知結果に応じて，前記光源駆動回路２０に前記光源２１の明るさ（光量）調節等を実行させる。
【００１６】
一方，前記無線モジュール９は，前記双方向リモコンＹとの間で双方向無線通信を行うものであって，ＲＦ無線方式を採用したＲＦ無線通信モデムなどである。前記無線モジュール９は，前記双方向リモコンＹからの操作信号などを受信して前記テレビ側制御回路８や前記サブマイコン１８に伝送し，また，前記双方向リモコンＹに対して後述の異常発生信号などを送信する。
前記テレビ側制御回路８は，演算手段であるＭＰＵ８ａ，そのＭＰＵ８ａによって実行される制御プログラムが予め格納される記憶手段であるＲＯＭ８ｂ（ＥＰＲＯＭ），前記ＭＰＵ８ａが実行する処理において読み書き（参照又は書き込み）される各種データを記憶する不揮発メモリ８ｃ等を備え，当該液晶テレビジョン受像機Ｘ全体を制御するものである。前記不揮発メモリ８ｃは，例えばフラッシュメモリ等である。
前記電源回路１７は，不図示の商用交流電源から供給される交流電源を該液晶テレビジョン受像機Ｘ内の各種電子機器の動作用電圧に変換するＡＣ／ＤＣコンバータなどを有している。
前記サブマイコン１８は，小規模のＭＰＵやメモリを内蔵するＡＳＩＣ等の集積回路であって，前記電源回路１７で生じたショートや過負荷などの各種異常を検出する処理や，後述する異常時対応処理（図３（ｂ）参照）などを実行する。なお，前記サブマイコン１８は，前記電源回路１７から前記サブマイコン１８に入力される異常信号の有無に応じて該電源回路１７の異常の有無を判断する。
【００１７】
続いて，図２を参照しつつ，前記双方向リモコンＹの構成について説明する。なお，図２（ａ）は前記双方向リモコンＹの概略構成を示すブロック図，図２（ｂ）は前記双方向リモコンＹの外観図である。
図２に示すように，前記双方向リモコンＹは，リモコン側制御回路１５０，操作キー１５１，無線モジュール１５２，表示部１５３などを備えて構成されている。
前記リモコン側制御回路１５０は，演算手段であるＭＰＵ１５０ａ，そのＭＰＵ１５０ａによって実行される制御プログラムが予め格納される記憶手段であるＲＯＭ１５０ｂ（ＥＰＲＯＭ），前記ＭＰＵ１５０ａが実行する処理において読み書き（参照又は書き込み）される各種データを記憶する不揮発メモリ１５０ｃ等を備え，当該液晶テレビジョン受像機Ｘ全体を制御するものである。前記不揮発メモリ１５０ｃは，例えばフラッシュメモリ等である。もちろん，前記リモコン側制御回路１５０は，小規模のＭＰＵやメモリを内蔵するＡＳＩＣ等の集積回路であってもよい。
前記無線モジュール１５２は，前記液晶テレビジョン受像機Ｘとの間で双方向無線通信を行うものであって，ＲＦ無線方式を採用したＲＦ無線通信モデムなどである。また，前記表示部１５３は，前記リモコン側制御回路１５０からの指示に応じて各種の情報を表示する小型の液晶ディスプレイ（ＬＣＤ）などである。
【００１８】
前記操作キー１５１は，前記液晶テレビジョン受像機Ｘの電源の入り切りのために操作される電源キー１５１ａや，前記液晶テレビジョン受像機Ｘにおけるテレビジョン放送のチャンネルを切り換えるチャンネルキー１５１ｂを始めとする各種操作キーを含んでいる。
前記操作キー１５１が押下されると，前記リモコン側制御回路１５０は，その押下された操作キー１５１に対応する操作信号を前記無線モジュール１５２によって前記液晶テレビジョン受像機Ｘに送信する。例えば，前記リモコン側制御回路１５０のＲＯＭ１５０ｂに，前記操作キー１５１と操作信号との対応関係を示す情報が予め記憶されており，該リモコン側制御回路１５０は，その情報に基づいて，押下された前記操作キー１５１に対応する操作信号を抽出し，前記液晶テレビジョン受像機Ｘに送信する。
しかし，本発明の実施の形態に係る前記テレビジョンシステムＺでは，前記液晶テレビジョン受像機Ｘ及び前記双方向リモコンＹによって後述の異常時対応処理が実行されることにより，該液晶テレビジョン受像機Ｘにおける所定の異常発生時に前記双方向リモコンＹにおける前記操作キー１５１の押下時の処理内容が変更される。
【００１９】
以下，図３のフローチャート及び図４の表示例を参照しつつ，当該テレビジョンシステムＺにおいて前記液晶テレビジョン受像機Ｘ及び前記双方向リモコンＹによって実行される異常時対応処理の手順の一例について説明する。なお，前記液晶テレビジョン受像機Ｘや前記双方向リモコンＹでは，ここで説明する他にも一般的な液晶テレビジョン受像機や双方向リモコンで実行される各種の処理を実行する。
ここに，図３（ａ）中のＳ１，Ｓ２，…は，前記双方向リモコンＹのリモコン側制御回路１５０によって実行される処理手順（ステップ）の識別符号，図３（ｂ）中のＳ１１，Ｓ１２，…は，前記液晶テレビジョン受像機Ｘのサブマイコン１８によって実行される処理手順（ステップ）の識別符号を表す。なお，前記サブマイコン１８で実行される処理は，前記テレビ側制御回路８によって実行されるものであってもよい。
また，図４（ａ），（ｂ）は異常内容の表示例，図４（ｃ），（ｄ）は措置内容の表示例，図４（ｅ）は動作履歴の表示例を示すものである。
【００２０】
（ステップＳ１，ステップＳ１１）
まず，前記双方向リモコンＹにおいて，前記リモコン側制御回路１５０は，前記液晶テレビジョン受像機Ｘからの異常発生信号の受信を待ち受けている（Ｓ１のＮｏ側）。そして，前記リモコン側制御回路１５０は，前記異常発生信号の受信に応じて（Ｓ１のＹｅｓ側），処理をステップＳ２に移行させる。
一方，前記液晶テレビジョン受像機Ｘにおいて，前記サブマイコン１８は，前記液晶テレビジョン受像機Ｘにおいて予め設定された所定の異常の発生を待ち受けている（Ｓ１１のＮｏ側）。そして，前記サブマイコン１８は，前記所定の異常の発生に応じて（Ｓ１１のＹｅｓ側），処理をステップＳ１２に移行させる。
ここでは，前記所定の異常が前記電源回路１７の異常であることが予め設定されている場合を例に挙げて説明する。前記電源回路１７に異常が生じた場合には，そのまま前記液晶テレビジョン受像機Ｘを作動させると該液晶テレビジョン受像機Ｘに深刻な障害が生じる可能性が高いためである。なお，前記所定の異常は前記電源回路１７の異常に限られず，例えば前記光源駆動回路２０のインバータ回路の異常など，前記液晶テレビジョン受像機Ｘの電源を入れておくことが望ましくない異常であればよい。この場合，前記サブマイコン１８は，その所定の異常を検知し得るように構成される。
【００２１】
（ステップＳ１２〜Ｓ１３）
前記ステップＳ１１において，前記サブマイコン１８により前記電源回路１７の異常が検出された場合には（Ｓ１１のＹｅｓ側），処理がステップＳ１２に移行され，該サブマイコン１８は，前記無線モジュール９によって前記双方向リモコンＹに異常発生信号を送信する。前記異常発生信号には，前記電源回路１７の異常が生じた旨やその異常発生日時など，前記液晶テレビジョン受像機Ｘで発生した異常の内容に関する情報が含まれる。
ここで，前記異常発生信号は，前記双方向リモコンＹに設けられた操作キー１５１のうち電源キー１５１ａの押下時に，該電源キー１５１ａに対応する電源操作信号を送信しないように前記双方向リモコンＹに通知される情報であって，該電源キー１５１ａの押下時の処理内容の設定に関する操作キー設定情報に相当する。ここに，係る送信処理を実行するときの前記サブマイコン１８が操作キー設定情報送信手段に相当する。
その後，前記サブマイコン１８は，前記双方向リモコンＹからの受信通知の受信を待ち受ける（Ｓ１３のＮｏ側）。
【００２２】
（ステップＳ２，ステップＳ１４）
そして，前記リモコン側制御回路１５０は，前記液晶テレビジョン受像機Ｘから送信された前記異常発生信号が前記無線モジュール１５２によって受信されると（Ｓ１のＹｅｓ側），続くステップＳ２において，該異常発生信号を受信した旨を通知する受信通知を前記無線モジュール１５２によって前記液晶テレビジョン受像機Ｘに送信する。
これにより，前記双方向リモコンＹから送信された前記受信通知が前記無線モジュール９によって受信されると（Ｓ１３のＹｅｓ側），前記サブマイコン１８は，続くステップＳ１４において，当該液晶テレビジョン受像機Ｘの電源を切るためのシャットダウン処理を前記テレビ側制御回路８に実行させる。もちろん，前記シャットダウン処理は，前記サブマイコン１８で実行されてもよい。また，前記シャットダウン後は，ＡＣコードの抜き差しや所定キーの長押し操作など，予め定められた特定の復旧操作がなされるまで，前記液晶テレビジョン受像機Ｘ本体に設けられた電源キーの操作を無効としてもよい。
なお，前記ステップＳ１３において，前記受信通知が所定時間以上受信されない場合には，前記ステップＳ１４を強制的に実行することで前記液晶テレビジョン受像機Ｘにおける安全性を確保することが望ましい。
【００２３】
（ステップＳ１５〜Ｓ１６）
その後，前記サブマイコン１８は，異常の復旧を待ち受ける（Ｓ１５のＮｏ側）。例えば，前記サブマイコン１８は，前記電源回路１７や前記テレビ側制御回路８からの復旧信号の入力の有無に応じて異常の復旧の有無を判断する。
ここで，異常の復旧がなされたと判断されると（Ｓ１５のＹｅｓ側），処理はステップＳ１６に移行し，前記サブマイコン１８は，前記無線モジュール９によって異常復旧信号を前記双方向リモコンＹに送信する。
【００２４】
（ステップＳ３）
一方，前記リモコン側制御回路１５０は，ステップＳ３において，前記液晶テレビジョン受像機Ｘから受信した前記異常発生信号に基づいて，該液晶テレビジョン受像機Ｘで発生した異常内容を前記表示部１５３に表示させる。なお，前記異常内容は，前記異常発生信号の受信に応じて表示されるに限らず，例えばユーザによる前記操作キー１５１の所定の操作に応じて表示されるものであってもよい。ここに，係る表示処理を実行するときの前記リモコン側制御回路１５０が情報表示手段に相当する。
ここでは，前記電源回路１７に異常が発生しているため，図４（ａ）に示すように電源回路に異常がある旨の警告やエラーコードが表示される。なお，このとき，前記表示部１５３には，サポートセンターの電話番号などのメンテナンスに役立つ情報も表示される。その他，例えば前記異常発生信号が前記光源駆動回路２０のインバータ回路に異常がある旨を示すものである場合には，図４（ｂ）に示すように，その旨の警告が前記表示部１５３に表示される。
このとき，前記リモコン側制御回路１５０は，例えばユーザによる操作キー１５１の操作に応じて，前記異常発生信号に対応してとるべき措置を表示することも考えられる。なお，前記措置の内容は，前記異常発生信号に含まれたものであっても，或いは前記リモコン側制御回路１５０のＲＯＭ１５０ｂに前記異常発生信号に対応するものとして予め記憶されたものであってもよい。例えば，図４（ｃ），（ｄ）に示すように，「ＡＣコードを差し直してください」や「ソフトウェアをバージョンアップしてください」などの措置内容が表示される。
【００２５】
さらに，前記異常発生信号に前記液晶テレビジョン受像機Ｘにおける動作履歴に関するログ情報（動作履歴情報の一例）が含まれており，前記リモコン側制御回路１５０が，ユーザによる前記操作キー１５１の所定の操作に応じて，前記ログ情報を前記表示部１５３に表示することも考えられる。また，前記ログ情報は前記ステップＳ３における異常内容の表示と共に表示されてもよい。
ここに，係る表示処理を実行するときの前記リモコン側制御回路１５０が情報表示手段に相当する。なお，図４（ｅ）は，前記液晶テレビジョン受像機Ｘにおいて随時記録されたログ情報の一例を示している。このとき，当該ログ情報の表示画面上では，各ログ情報を選択することで該ログ情報の詳細を参照し得る。
これにより，前記液晶テレビジョン受像機Ｘの電源を投入することができない状況においても，該液晶テレビジョン受像機Ｘのログ情報を参照することができ，例えば異常原因の早期究明を行うことができる。
なお，前記液晶テレビジョン受像機Ｘが正常動作している際に，該液晶テレビジョン受像機Ｘから前記双方向リモコンＹに定期的に前記ログ情報が送信されて該双方向リモコンＹ内部のメモリに記憶され，前記リモコン側制御回路１５０が，異常発生時に該メモリから前記ログ情報を読み出して前記表示部１５３に表示させることも他の実施例として考えられる。
【００２６】
（ステップＳ４）
次に，ステップＳ４では，前記リモコン側制御回路１５０は，前記液晶テレビジョン受像機Ｘから送信された前記異常発生信号に応じて前記操作キー１５１の押下時の処理内容を設定する。ここに，係る処理を実行するときの前記リモコン側制御回路１５０が操作キー処理内容設定手段に相当する。
具体的に，前記リモコン側制御回路１５０は，前記操作キー１５１のうち前記電源キー１５１ａの押下時の処理内容を，本来の電源操作信号を送信する処理から，前記液晶テレビジョン受像機Ｘの電源の投入を伴わない暫定処理に変更する。例えば，前記暫定処理は，前記液晶テレビジョン受像機Ｘに対して何ら信号を送信しないものであって，前記電源キー１５１ａの本来の処理機能を無効にするものであることが考えられる。ここで変更された処理内容は，前記リモコン側制御回路１５０の前記不揮発メモリ１５０ｃなどに記憶され，その後，前記リモコン側制御回路１５０は，前記電源キー１５１ａの押下時にはその変更内容に基づく暫定処理を実行する。
ここでは，前記暫定処理が，前記液晶テレビジョン受像機Ｘに異常が発生している旨や，そのために前記液晶テレビジョン受像機Ｘの電源操作を規制している旨の表示を行う表示処理であるとする。なお，前記暫定処理は係る表示処理に限らず，前記液晶テレビジョン受像機Ｘの電源の投入を伴わない他の処理であることや，前記電源キー１５１ａの押下操作を単に無効とするものであってよい。
【００２７】
（ステップＳ５〜Ｓ７）
その後，ステップＳ５では，前記リモコン側制御回路１５０は，前記電源キー１５１ａが押下されたか否かを判断する。ここで，前記電源キー１５１ａが押下されたと判断されると（Ｓ５のＹｅｓ側），処理はステップＳ６に移行し，前記電源キー１５１ａが押下されていなければ（Ｓ５のＮｏ側），処理はステップＳ７に移行する。
ステップＳ６では，前記リモコン側制御回路１５０は，前記ステップＳ４で変更された後の前記電源キー１５１ａの押下時の処理内容に従って処理を実行する。即ち，ここでは前記電源キー１５１ａが押下されても前記液晶テレビジョン受像機Ｘに対して何ら信号が送信されず，前記液晶テレビジョン受像機Ｘに異常が発生している旨や，そのために前記液晶テレビジョン受像機Ｘの電源操作を規制している旨の表示を行う表示処理が実行される。従って，前記電源キー１５１ａを操作して前記液晶テレビジョン受像機Ｘの電源を投入しようとするユーザの意図に拘わらず，前記液晶テレビジョン受像機Ｘが異常状態のまま立ち上げられることが強制的に阻止される。
一方，ステップＳ７では，前記リモコン側制御回路１５０は，前記液晶テレビジョン受像機Ｘからの異常復旧信号が前記無線モジュール１５２によって受信されたか否かを判断する。ここで，前記異常復旧信号が受信されたと判断された場合には（Ｓ７のＹｅｓ側），処理はステップＳ８に移行し，前記異常復旧信号が受信されていなければ（Ｓ７のＮｏ側），処理は前記ステップＳ５に戻される。
【００２８】
（ステップＳ８）
ステップＳ８では，前記リモコン側制御回路１５０は，前記ステップＳ４において変更した前記操作キー１５１の押下時の処理内容を復旧させる。ここでは，前記リモコン側制御回路１５０は，前記電源キー１５１ａの押下時の処理内容を，本来の前記液晶テレビジョン受像機Ｘへの電源操作信号の送信処理に変更する。なお，前記表示部１５３に異常内容などが表示されている場合には，前記リモコン側制御回路１５０はその表示を終了させる。
これにより，その後，前記電源キー１５１ａの押下時には，該電源キー１５１ａに対応する電源操作信号が前記液晶テレビジョン受像機Ｘに送信され，該液晶テレビジョン受像機Ｘの電源が立ち上げられる。
【００２９】
以上説明したように，前記テレビジョンシステムＺでは，前記液晶テレビジョン受像機Ｘで前記電源回路１７の異常などの所定の異常が発生した場合に，該液晶テレビジョン受像機Ｘから送信される異常発生信号によって，前記双方向リモコンＹにおける前記操作キー１５１の押下時の処理内容が変更されるため，前記異常の発生後にユーザにより前記電源キー１５１ａが押下されても該電源キー１５１ａの本来の機能である前記液晶テレビジョン受像機Ｘの電源の投入という動作が行われず，該液晶テレビジョン受像機Ｘの異常状態の悪化などを防止することができる。
また，前記双方向リモコンＹに前記異常の内容が表示されるため，ユーザは前記電源キー１５１ａの押下時に前記液晶テレビジョン受像機Ｘの電源が入らない原因を容易に把握することができる。
【００３０】
ところで，本実施の形態では，前記ステップＳ４において前記電源キー１５１ａの押下時に信号を送信しないように処理内容を変更する場合について説明したが，その他，例えば前記電源キー１５１ａの押下時に，本来の前記電源キー１５１ａの押下時に送信される電源操作信号に換えて，前記液晶テレビジョン受像機Ｘの機能を通常よりも制限するセーフモードで該液晶テレビジョン受像機Ｘを起動させるセーフモード起動信号を送信するように処理内容を変更することも考えられる。
これにより，前記液晶テレビジョン受像機Ｘは，前記セーフモード起動信号の受信に応じて，通常よりも機能が制限されたセーフモード（例えば液晶表示パネル１６等の動作が制限された状態）で動作することとなるため，その動作範囲内に異常が生じていなければ，該セーフモードにおいて異常箇所の点検や異常発生履歴情報の収集など，各種の処理を実行することが可能となる。
また，前記双方向リモコンＹにＵＳＢなどの通信インターフェースを設けておき，ユーザが前記双方向リモコンＹから前記通信インターフェースを介してパーソナルコンピュータに前記液晶テレビジョン受像機Ｘの異常内容や動作履歴などを伝送可能である構成も考えられる。これにより，例えば前記双方向リモコンＹからパーソナルコンピュータに伝送した前記液晶テレビジョン受像機Ｘの異常内容や動作履歴などを，該パーソナルコンピュータからＥメールなどによってサポートセンターなどのメンテナンス機関に送信することができ，該液晶テレビジョン受像機Ｘの異常内容の早期解決を図ることができる。
【実施例】
【００３１】
本実施例では，前記双方向リモコンＹを各種メーカーの前記液晶テレビジョン受像機Ｘに対応し得る汎用品とした場合に，自動的に前記双方向リモコンＹを前記液晶テレビジョン受像機Ｘに対応させることのできる構成について説明する。なお，前記実施の形態で説明した構成要素と同様の構成要素については同じ符号を用いる。
以下，図５のフローチャートを用いて，前記双方向リモコンＹ及び前記液晶テレビジョン受像機Ｘによって実行されるリモコンコード設定処理の手順の一例について説明する。なお，図５（ａ）のＳ２１，Ｓ２２…は前記双方向リモコンＹのリモコン側制御回路１５０による処理手順（ステップ）番号，図５（ｂ）のＳ３１，Ｓ３２…は前記液晶テレビジョン受像機Ｘのテレビ側制御回路８による処理手順（ステップ）番号を示している。もちろん，当該リモコンコード設定処理において前記テレビ側制御回路８が実行する処理は，前記サブマイコン１８によって実行されるものであってもよい。
【００３２】
（ステップＳ２１，ステップＳ３１）
まず，前記双方向リモコンＹにおいて，前記リモコン側制御回路１５０は，前記液晶テレビジョン受像機Ｘから送信される後述のリモコンコード信号の受信を待ち受けている（Ｓ２１のＮｏ側）。そして，前記リモコン側制御回路１５０は，前記リモコンコード信号の受信に応じて（Ｓ２１のＹｅｓ側），処理をステップＳ２２に移行させる。
一方，前記液晶テレビジョン受像機Ｘにおいて，前記テレビ側制御回路８は，前記無線モジュール９によって該無線モジュール９の通信可能範囲内に新たな双方向リモコンが存在するか否かを判断している（Ｓ３１）。例えば，前記無線モジュール９は，所定間隔ごとに検知信号を送信することにより，後述のステップＳ３４において現在通信可能なものとして登録されている双方向リモコン以外の双方向リモコンから応答信号を受信した場合に，新たな双方向リモコンが存在すると判断する。このとき，前記無線モジュール９は，前記応答信号に含まれる識別情報などによって双方向リモコンを識別する。
そして，前記ステップＳ３１において，新たな双方向リモコンが存在することが検出されると（Ｓ３１のＹｅｓ側），処理はステップＳ３２に移行する。
【００３３】
（ステップＳ３２，Ｓ３３）
ステップＳ３２では，前記テレビ側制御回路８は，前記無線モジュール９によって前記液晶テレビジョン受像機Ｘのメーカー等を示すリモコンコード信号を前記双方向リモコンＹに送信する。その後，前記テレビ側制御回路８は，前記双方向リモコンＹからの受信通知の受信を待ち受ける（Ｓ３３のＮｏ側）。
前記リモコンコード信号は，前記液晶テレビジョン受像機Ｘ及び前記双方向リモコンＹのメーカーが異なる場合など，送受信される操作信号の対応関係が異なる場合に，その操作信号の整合性を持たせるための情報であって，前記テレビ側制御回路８のＲＯＭ８ｂなどに予め記憶されている。ここに，前記リモコンコード信号は，前記双方向リモコンＹに設けられた操作キー１５１の押下時の処理内容の設定に関する操作キー設定情報の一例である。
【００３４】
（ステップＳ２２，Ｓ３４）
そして，前記双方向リモコンＹでは，前記リモコン側制御回路１５０が，前記液晶テレビジョン受像機Ｘから送信された前記リモコンコード信号を前記無線モジュール１５２によって受信することになり（Ｓ２１のＹｅｓ側），処理はステップＳ２２に移行する。
ステップＳ２２では，前記リモコン側制御回路１５０は，当該双方向リモコンＹの識別情報と共に前記リモコンコード信号を受信した旨を示す受信通知を前記無線モジュール１５２によって前記液晶テレビジョン受像機Ｘに送信する。
前記液晶テレビジョン受像機Ｘでは，前記テレビ側制御回路８が，前記無線モジュール９で前記受信通知が受信されたと判断し（Ｓ３３のＹｅｓ側），処理はステップＳ３４に移行する。
ステップＳ３４では，前記テレビ側制御回路８が，前記受信通知に含まれた前記双方向リモコンＹの識別情報を前記不揮発メモリ８ｃなどに登録する。これにより，その後，前記双方向リモコンＹは，前記液晶テレビジョン受像機Ｘと通信可能なリモコンとして扱われる。
【００３５】
（ステップＳ２３）
一方，前記双方向リモコンＹでは，前記リモコン側制御回路１５０が，前記リモコンコード信号に応じて前記操作キー１５１の押下時に前記液晶テレビジョン受像機Ｘに送信する操作信号の内容を変更する。ここに，係る処理を実行するときの前記リモコン側制御回路１５０が操作キー処理内容設定手段に相当する。
具体的には，前記リモコン側制御回路１５０内の前記ＲＯＭ１５０ｂや前記不揮発メモリ１５０ｃなどのメモリに，前記リモコンコード信号の内容と前記操作キー１５１各々の操作信号とを対応付けた対応情報が予め記憶されており，前記リモコン側制御回路１５０が，受信した前記リモコンコード信号と前記対応情報とに基づいて前記操作キー１５１の押下時に送信する操作信号を設定することが考えられる。なお，前記対応情報の内容は前記リモコンコード信号に含まれたものであってもよい。
以上説明したように，前記双方向リモコンＹにおける前記操作キー１５１の押下時の処理内容，即ち送信する操作信号の内容を，前記液晶テレビジョン受像機Ｘから受信する前記リモコンコード信号に応じて変更すれば，前記双方向リモコンＹにおいて前記液晶テレビジョン受像機Ｘのメーカーを設定するなどのユーザの手間を省くことができる。
【符号の説明】
【００３６】
Ｘ  ：液晶テレビジョン受像機
Ｙ  ：双方向リモコン装置
Ｚ  ：テレビジョンシステム（電子システムの一例）
１  ：ディジタルチューナ
２  ：復調回路
３  ：デマルチプレクサ
４  ：映像デコーダー回路
５  ：映像入力選択回路
６  ：映像処理回路
７  ：外部入力部
８  ：テレビ側制御回路
９  ：無線モジュール
１０：音声デコーダー回路
１１：音声入力選択回路
１２：音声処理回路
１３：アンプ
１４：スピーカ
１５０…リモコン側制御回路
１５１…操作キー
１５１ａ…電源キー
１５１ｂ…チャンネルキー
１５２…無線モジュール
１５３…表示部
１６：液晶表示パネル
１７：電源回路
１８：サブマイコン
１９：明るさセンサ
２０：光源駆動回路
２１：光源
Ｓ１，Ｓ２，…：ステップ（処理手順）
Ｓ１１，Ｓ１２，…：ステップ（処理手順）
Ｓ２１，Ｓ２２，…：ステップ（処理手順）
Ｓ３１，Ｓ３２，…：ステップ（処理手順）
【図１】
2010245720.tif 000003
【図２】
2010245720.tif 000004
【図３】
2010245720.tif 000005
【図４】
2010245720.tif 000006
【図５】
2010245720.tif 000007